(57)【要約】【課題】投射面の色の影響を確実に抑制することができる、小型で低コストのプロジェクタを提供する。【解決手段】プロジェクタは、画像を形成する画像形成部３と、画像形成部３で形成された画像を投射する投射光学系４と、入力操作に応じて操作内容を示す操作信号Ｓ５を出力する操作部８と、操作信号Ｓ５に基づき、画像形成部３の動作を制御し、色相環に基づいて色補正情報を生成する色補正制御部１１と、色補正情報に基づいて入力映像信号を補正し、色補正した映像信号に基づく画像を画像形成部３に形成する色補正部２を有する。色補正制御部１１は、色相環を構成する複数の色相のリストの中から指定された色相の補色を基準とする所定の色相の範囲を複数の階調で表したカラーチャートを作成し、該カラーチャートの投射画像上で選択された色相に基づいて色補正情報を生成する。【選択図】図１
2016096465.tif 000002
【特許請求の範囲】
【請求項１】
画像を形成する画像形成部と、
前記画像形成部で形成された画像を投射する投射光学系と、
入力操作に応じて操作内容を示す操作信号を出力する操作部と、
前記操作信号に基づき、前記画像形成部の画像形成動作を制御し、色相環に基づいて色補正情報を生成する色補正制御部と、
前記色補正情報に基づいて入力映像信号を色補正し、色補正した映像信号に基づく画像を前記画像形成部で形成する色補正部と、を有し、
前記色補正制御部は、
前記色補正情報の生成の際には、前記色相環を構成する複数の色相のリストを示すリスト画像を前記画像形成部に形成して、前記投射光学系により前記リスト画像を投射し、
前記リストの中から色相を指定する旨を示す第１の操作信号を受け付けると、該第１の操作信号により示された色相の補色を基準とする所定の色相の範囲を複数の階調で表した第１のカラーチャートを作成し、該第１のカラーチャートの画像を前記画像形成部に形成して、前記投射光学系により前記第１のカラーチャートの画像を投射し、
前記第１のカラーチャートの投射画像上で色相を選択する旨を示す第２の操作信号を受け付けると、該第２の操作信号により示された色相に基づいて前記色補正情報を生成する、プロジェクタ。
【請求項２】
請求項１に記載のプロジェクタにおいて、
前記色補正制御部は、前記第２の操作信号を受け付けた場合に、該第２の操作信号により示された色相を基準とする所定の色相の範囲を前記第１のカラーチャートよりも細かい階調で表した第２のカラーチャートを作成し、該第２のカラーチャートの画像を前記画像形成部に形成して、前記投射光学系により前記第２のカラーチャートの画像を投射し、その後、前記第２のカラーチャートの投射画像上で色相を選択する第３の操作信号を受け付けると、該第３の操作信号により示された色相に基づいて前記色補正情報を生成する、プロジェクタ。
【請求項３】
請求項２に記載のプロジェクタにおいて、
前記第１及び第２のカラーチャートはそれぞれ、彩度及び明度の一方の要素を縦軸にとり、色相を横軸にとった２次元のチャートと、前記彩度及び明度の他方の要素を階調的に表した１次元のチャートと、を含み、
前記色補正制御部は、前記第１及び第２のカラーチャートのそれぞれについて、前記１次元のチャート上で設定された前記他方の要素の値に基づいて前記２次元のチャートの色調を変化させる、プロジェクタ。
【請求項４】
請求項３に記載のプロジェクタにおいて、
前記２次元のチャートは、複数の階調を表す複数の色のタイルを有し、
前記色補正制御部は、前記２次元のチャート上でタイルを選択する旨を示す操作信号を受け付けると、該操作信号により示されたタイル以外のタイルの色を全て黒表示に変更する、プロジェクタ。
【請求項５】
請求項３に記載のプロジェクタにおいて、
前記２次元のチャートは、複数の階調を表す複数の色のタイルを有し、
前記色補正制御部は、前記２次元のチャート上で２つ以上のタイルを選択する旨の操作信号を受け付けると、該操作信号により示された前記２つ以上のタイルからなる画像を前記画像形成部で形成する、プロジェクタ。
【請求項６】
請求項３から５のいずれか１項に記載のプロジェクタにおいて、
前記色補正制御部は、前記１次元及び２次元のチャートの間で前記彩度及び明度を切り替える旨を示す操作信号を受け付けると、該操作信号に従って、前記２次元のチャートを、前記他方の要素を縦軸にとり、前記色相を横軸にとった２次元のチャートに切り替え、前記１次元のチャートを、前記一方の要素を階調的に表した１次元のチャートに切り替える、プロジェクタ。
【請求項７】
画像を形成する画像形成部と、該画像形成部で形成された画像を投射する投射光学系とを備えたプロジェクタの投射面色補正方法であって、
色相環を構成する複数の色相のリストを示すリスト画像を前記画像形成部に形成して、前記投射光学系により前記リスト画像を投射し、
使用者が前記リストの中から色相を指定する第１の操作を行うと、前記色相環に基づいて該第１の操作により指定された色相の補色を決定し、該補色を基準とする所定の色相の範囲を複数の階調で表したカラーチャートの画像を前記画像形成部に形成して、前記投射光学系により前記カラーチャートの画像を投射し、
使用者が前記カラーチャートの投射画像上で色相を選択する第２の操作を行うと、該第２の操作により選択された色相に基づいて色補正情報を生成し、
前記色補正情報に基づいて入力映像信号を色補正し、色補正した映像信号に基づく画像を前記画像形成部に形成して、該画像を前記投射光学系により投射する、投射面色補正方法。
【発明の詳細な説明】
【技術分野】
【０００１】
本発明は、壁等への投射が可能なプロジェクタに関する。さらに、本発明は、そのようなプロジェクタにおいて行われる投射面色補正方法に関する。
【背景技術】
【０００２】
近年、壁や黒板などに画像を投射したり、部屋の照明器具を点灯させた状態で画像を投射したりするなど、様々な環境でプロジェクタを使用するようになってきた。このような環境下では、例えば壁の色や照明光の影響（投射面の色の影響）を受けて投射画像の色合いが変化するといった問題が生じる。
そこで、投射面の色の影響を抑制することができるプロジェクタが提案されている（特許文献１、２参照）。
【０００３】
特許文献１には、壁色補正が可能なプロジェクタが記載されている。このプロジェクタは、記憶部、制御部および投射部を備える。予め設定された複数の壁色に関し、壁色毎に、ホワイトバランス調整用の色データが記憶部に保持されている。制御部は、各壁色に対応する複数のカラーパレットからなるホワイトバランス調整用画面を投射部より投射させる。使用者が投射画面上で最も白に近いカラーパレットを指定すると、制御部は、指定されたカラーパレットに対応する色データを記憶部から読み出し、該色データに基づいて画像の色補正を行う。
特許文献２には、投射面の色に応じた色補正を自動的に行うことができる自律色補正型プロジェクタが提案されている。このプロジェクタでは、原色である赤色光、緑色光及び青色光を順々に投射面上に投射し、カラーセンサを用いて投射面からの赤色光、緑色光及び青色光をそれぞれ測定する。この測定結果に基づいて、投射面上の赤、緑及び青それぞれの三刺激値（Ｘ’r、Ｙ’r、Ｚ’r）、（Ｘ’g、Ｙ’g、Ｚ’g）、（Ｘ’b、Ｙ’b、Ｚ’b）を求める。これら三刺激値と既存の赤、緑及び青それぞれの三刺激値（Ｘr、Ｙr、Ｚr）、（Ｘg、Ｙg、Ｚg）、（Ｘb、Ｙb、Ｚb）とから求まる色変換行列に基づいて、投射すべき原色の混合量を投射面上で再現すべき原色の混合量に変換する。
【先行技術文献】
【特許文献】
【０００４】
【特許文献１】特開２００６−１８６６６２号公報
【特許文献２】特開２００３−３３３６１１号公報
【発明の概要】
【発明が解決しようとする課題】
【０００５】
しかし、特許文献１、２に記載のプロジェクタには、以下のような問題がある。
特許文献１に記載のプロジェクタでは、予め設定した壁色に関するホワイトバランス調整用の色データを用いて色補正が行われる。この場合、設定色以外の壁色については、色補正を行うことは困難である。
特許文献２に記載のプロジェクタにおいては、カラーセンサを用いるため、装置が大掛かりになり、コストも増大する。
【０００６】
本発明の目的は、上記問題を解決し、投射面の色の影響を確実に抑制することができる、小型で低コストのプロジェクタ及び投射面色補正方法を提供することにある。
【課題を解決するための手段】
【０００７】
上記目的を達成するため、本発明の一態様によれば、
画像を形成する画像形成部と、
前記画像形成部で形成された画像を投射する投射光学系と、
入力操作に応じて操作内容を示す操作信号を出力する操作部と、
前記操作信号に基づき、前記画像形成部の画像形成動作を制御し、色相環に基づいて色補正情報を生成する色補正制御部と、
前記色補正情報に基づいて入力映像信号を色補正し、色補正した映像信号に基づく画像を前記画像形成部で形成する色補正部と、を有し、
前記色補正制御部は、
前記色補正情報の生成の際には、前記色相環を構成する複数の色相のリストを示すリスト画像を前記画像形成部に形成して、前記投射光学系により前記リスト画像を投射し、
前記リストの中から色相を指定する旨を示す第１の操作信号を受け付けると、該第１の操作信号により示された色相の補色を基準とする所定の色相の範囲を複数の階調で表した第１のカラーチャートを作成し、該第１のカラーチャートの画像を前記画像形成部に形成して、前記投射光学系により前記第１のカラーチャートの画像を投射し、
前記第１のカラーチャートの投射画像上で色相を選択する旨を示す第２の操作信号を受け付けると、該第２の操作信号により示された色相に基づいて前記色補正情報を生成する、プロジェクタが提供される。
【０００８】
本発明の別の態様によれば、画像を形成する画像形成部と、該画像形成部で形成された画像を投射する投射光学系とを備えたプロジェクタの投射面色補正方法であって、
色相環を構成する複数の色相のリストを示すリスト画像を前記画像形成部に形成して、前記投射光学系により前記リスト画像を投射し、
使用者が前記リストの中から色相を指定する第１の操作を行うと、前記色相環に基づいて該第１の操作により指定された色相の補色を決定し、該補色を基準とする所定の色相の範囲を複数の階調で表したカラーチャートの画像を前記画像形成部に形成して、前記投射光学系により前記カラーチャートの画像を投射し、
使用者が前記カラーチャートの投射画像上で色相を選択する第２の操作を行うと、該第２の操作により選択された色相に基づいて色補正情報を生成し、
前記色補正情報に基づいて入力映像信号を色補正し、色補正した映像信号に基づく画像を前記画像形成部に形成して、該画像を前記投射光学系により投射する、投射面色補正方法が提供される。
【発明の効果】
【０００９】
本発明によれば、リストに設定されていない色でも補正することができるので、投射面の色の影響を確実に抑制することができる。加えて、カラーセンサ等を用いる必要がないので、装置の小型化及び低コスト化が可能である。
【図面の簡単な説明】
【００１０】
【図１】本発明の第１の実施形態であるプロジェクタの構成を示すブロック図である。
【図２Ａ】色相環情報の一例を説明するための図である。
【図２Ｂ】明度情報の一例を説明するための図である。
【図２Ｃ】彩度情報の一例を説明するための図である。
【図３】図２Ａに示す色相環情報に対応する色相名リストの一例を説明するための図である。
【図４】図１に示すプロジェクタにおいて行われる投射面色補正処理の一手順を示すフローチャートである。
【図５】指定色が黄色である場合の第１のカラーチャートの一例を説明するための図である。
【図６】図５に示す２次元のチャート上で選択されたタイルの色を基準とするカラーチャートの一例を説明するための図である。
【図７】使用者の入力操作及びプロジェクタの表示動作の一手順を説明するための図である。
【図８Ａ】色相名リストの投射画像の一例を示す模式図である。
【図８Ｂ】第１のカラーチャートの投射画像の一例を示す模式図である。
【図９Ａ】第１のカラーチャートの２次元のチャート及び１次元のチャートの一例を示す模式図である。
【図９Ｂ】第２のカラーチャートの２次元のチャート及び１次元のチャートの一例を示す模式図である。
【図１０】第２のカラーチャートの表示形態の一例を示す模式図である。
【図１１Ａ】第２のカラーチャートの２次元チャート画像上で複数のタイルが選択された場合の投射画像の一例を示す模式図である。
【図１１Ｂ】図１１Ａに示す選択タイルの表示形態の一例を示す模式図である。
【図１２】本発明の第２の実施形態であるプロジェクタにおいて行われる投射面色補正処理の一手順を示すフローチャートである。
【発明を実施するための形態】
【００１１】
次に、本発明の実施形態について図面を参照して説明する。
（第１の実施形態）
図１は、本発明の第１の実施形態であるプロジェクタの構成を示すブロック図である。
図１を参照すると、プロジェクタは、制御部１、色補正部２、画像形成部３、投射光学系４、光源駆動部５、光源６、記憶部７及び操作部８を有する。なお、図１には、便宜上、色補正に関わる主要な構成のみを示しており、映像処理回路や照明光学系などのプロジェクタに必要な他の構成については省略されている。
【００１２】
映像信号Ｓ１が外部映像供給装置から色補正部２に供給される。外部映像供給装置は、パーソナルコンピュータ等の情報処理装置や、ＤＶＤ（Digital Versatile Disc）プレーヤやビデオレコーダなどの映像出力装置である。
画像形成部３は、表示素子駆動部３０及び表示素子３１を有する。表示素子駆動部３０は、映像信号Ｓ３に基づいて表示素子３１を駆動する。表示素子３１は、光源６からの光を変調して映像信号Ｓ３に基づく画像を形成する。表示素子３１として、例えば、液晶表示デバイスやデジタル・マイクロミラー素子（ＤＭＤ）などを用いることができる。
光源駆動部５は、制御部１からの駆動信号に従って光源６を点灯する。光源６には、水銀ランプ、ＬＥＤ（Light Emitting Diode）等の固体光源、蛍光体を用いた光源などを用いることができる。
【００１３】
投射光学系４は、表示素子３１に形成された画像を投射面Ｐ上に投射する投射レンズ等を含む。投射面Ｐは、壁や黒板など、画像を投射することが可能な物であれば、どのような物であってもよい。
記憶部７は、半導体メモリ等の記憶装置であって、プロジェクタを動作させるのに必要な種々のプログラムやデータを保持する。例えば、記憶部７は、色相名リスト７１、カラーチャートデータ７２、色補正データ７３を保持する。ここで、色相名リスト７１及びカラーチャートデータ７２は、予め記憶部７に格納されている。
【００１４】
カラーチャートデータ７２は、ＰＣＣＳ（Practical Color Co-ordinate System）の色相環情報、明度情報及び彩度情報を含む。図２Ａに色相環情報の一例を示し、図２Ｂに明度情報の一例を示し、図２Ｃに彩度情報の一例を示す。
図２Ａに示す色相環情報は、１２色相を知覚的に等歩度に移行するように順序立てて円環に配列した色相環を示す。１２色相は、赤、赤みの橙、黄みの橙、黄、黄緑、緑、青緑、緑みの青、青、青紫、紫、及び赤紫であり、この順番で時計回りに配列されている。赤、黄、青緑、青紫はそれぞれ円環の「０deg」、「９０deg」、「１８０deg」、「２７０deg」の位置に配置されている。１８０度の関係にある色相は補色の関係にある。補色の関係にある２色を混ぜると無彩色（色合いのない白黒またはグレー）になる。なお、図２Ａの例では、便宜上、１２色相に対して、赤を１番として時計回りの方向に１２番までの番号が付されている。なお、色相環情報は、１２色相の色相環に限定されない。色相環情報は、２４色相等の色相環であってもよい。
【００１５】
図２Ｂに示す明度情報は、色の明るさの度合いを階調的に表したものであって、白と黒との間を知覚的に等歩度となるように分割したものである。白を９．５、黒を１．５とし、これらの間が０．５ステップで１７段階に分割されている。
図２Ｃに示す彩度情報は、１２色相を全て同じ彩度（９ｓ）とし、彩度（９ｓ）から無彩色（０ｓ）までの変化を知覚的に等間隔になるように分割したものである。通常、彩度とは色の形容を表す要素であるが、図２Ｃに示した例では、便宜上、モノクロのグラデーションで彩度を表している。
【００１６】
色相名リスト７１は、カラーチャートデータ７２の色相環情報に対応して設定されている。色相名リスト７１の一例として、図３に、図２Ａに示した色相環情報に対応する色相名リストを示す。
図３に示す色相名リスト７１は、番号、色相名、記号の項目からなる。番号の項目には、図２Ａに示した色相環の１〜１２の番号が記載されている。色相名の欄には、図２Ａに示した色相環の１２色相名が番号毎に記載されている。記号の項目には、色相名に対応する記号が記載されている。例えば、色相名が「赤」の記号は「Ｒ」である。
操作部８は、電源キー、メニューキー、テンキー、方向キー（例えば、上下左右のそれぞれの方向を示す４つの方向キー）、決定キーなどの複数の操作キーを備える。操作部８は、使用者による入力操作に応じた操作内容を示す操作信号Ｓ５を出力する。
【００１７】
制御部１は、プロジェクタ全体の動作を制御するものであって、例えば、記憶部７に格納されたプログラムに従って動作するＣＰＵ（Central Processing Unit）により構成される。制御部１は、操作部８からの操作信号Ｓ５に従って必要な処理を実行する。
制御部１は、色補正制御部１１を有する。色補正制御部１１は、画像形成部３の画像形成動作を制御し、操作信号Ｓ５に基づき、使用者による入力操作に応じて色補正情報Ｓ２を生成する。
【００１８】
色補正部２は、色補正情報Ｓ２に基づいて映像信号Ｓ１により示される画像の色を補正する。色補正を行った場合は、色補正部２は、色補正した映像信号を映像信号Ｓ３として画像形成部３に供給する。なお、色補正情報Ｓ２が色補正部２に供給されていない場合は、色補正部２は、色補正を行うことなく、映像信号Ｓ１をそのまま映像信号Ｓ３として画像形成部３に供給する。
【００１９】
次に、本実施形態のプロジェクタの投射面色補正方法について説明する。
図４に、投射面色補正処理の一手順を示す。
色補正制御部１１は、操作信号Ｓ５に基づき、使用者による色補正実行指示の有無を判定する（ステップＳ１０）。この判定において、色補正制御部１１は、例えば、通常動作モードや色補正モードなどの種々のモードを選択可能なメニュー画面を示す画像信号Ｓ４を表示素子駆動部３０に供給する。表示素子駆動部３０は、画像信号Ｓ４に基づく画像を表示素子３１上に形成し、その結果、投射面Ｐ上に、メニュー画面が投射される。
【００２０】
使用者が操作部８を用いてメニュー画面の中から色補正モードを選択するための入力操作を行うと、色補正実行指示を示す操作信号Ｓ５が操作部８から色補正制御部１１に供給される。色補正制御部１１は、制御信号Ｓ５に基づいて、色補正実行指示を認識する。
色補正実行指示を認識した色補正制御部１１は、図３に示した色相名リスト７１を示す画像信号Ｓ４を表示素子駆動部３０に供給する。表示素子駆動部３０は、画像信号Ｓ４に基づく画像（リスト画像）を表示素子３１上に形成し、その結果、投射面Ｐ上に、色相名リスト７１の画像（リスト画像）が投射される（ステップＳ１１）。ここで、色補正制御部１１は、リスト画像と一緒に、使用者に投射面Ｐの色に近い色を選択させることを促すようなメッセージを表示してもよい。
【００２１】
色補正制御部１１は、操作信号Ｓ５に基づき、使用者により色相名（色）が指定されたか否かを判定する（ステップＳ１２）。使用者は、操作部８を用いて、色相名リスト７１のうちから投射面Ｐの色に最も近い色を指定する。例えば、使用者は、操作部８上で、色相名リスト７１に記載されている１〜１２の番号のうちから投射面Ｐの色に最も近い色に対応する番号を入力して決定キーを押す。これにより、指定色を示す操作信号Ｓ５が操作部８から色補正制御部１１に供給される。色補正制御部１１は、操作信号Ｓ５に基づき指定色を認識する。
使用者により色相名（色）が指定されると、色補正制御部１１は、記憶部７のカラーチャートデータ７２を参照し、指定色の補色を基準とする第１の色相の範囲を複数の階調で表した第１のカラーチャートを作成する。そして、色補正制御部１１は、第１のカラーチャートを示す画像信号Ｓ４を表示素子駆動部３０に供給する。表示素子駆動部３０は、画像信号Ｓ４に基づく画像を表示素子３１上に形成し、その結果、投射面Ｐ上に、第１のカラーチャートの画像が投射される（ステップＳ１３）。ここで、色補正制御部１１は、第１のカラーチャートの画像と一緒に、使用者に投射画像上で最も白い色相を選択させることを促すようなメッセージを表示してもよい。
【００２２】
第１のカラーチャートの一例として、図５に、指定色が黄色である場合のカラーチャートを示す。図２Ａに示した色相環において、黄色（９０ｄｅｇ）の補色は青紫（２７０ｄｅｇ）である。図５に示す第１のカラーチャートは、ＰＣＣＳの彩度、色相をそれぞれ縦軸、横軸にとった２次元のチャートと、ＰＣＣＳの明度を示す１次元のチャートとを含む。
２次元のチャートは、青紫（２７０ｄｅｇ）を基準とする色相の範囲２５５ｄｅｇ〜２８５ｄｅｇを７．５ｄｅｇ毎の５段階の色相に区分し、各色相をそれぞれ、１ｓ、３ｓ、５ｓ、７ｓ、９ｓの５段階の彩度で表したものである。この２次元のチャートは、５×５のタイルからなる。ここで、色相の範囲２５５ｄｅｇ〜２８５ｄｅｇは、図２Ａに示した色相環の１０番の範囲に対応する。
【００２３】
２次元のチャート上には、タイル選択用の黒枠９ａが表示される。この黒枠９ａは、使用者による入力操作に応じて２次元のチャート上を上下左右の方向に移動する。例えば、使用者が右方向を示す方向キーを１回押下すると、黒枠９ａが現在のタイルから右隣のタイル上に移動する。使用者は、黒枠９ａを最も白に近い色のタイル上に移動して決定キーを押下することで色を選択する。
明度の１次元のチャートには、明度を指定するための黒色の三角マーク９ｂが付与されている。三角マーク９ｂは、使用者による入力操作に応じて１次元のチャート上を上下方向に移動する。例えば、使用者が上方向を示す方向キーを１回押下すると、三角マーク９ｂが現在の明度から一段階上の明度に移動する。使用者が、三角マーク９ｂを所望の明度を示す位置に移動して決定キーを押下すると、色補正制御部１１は、三角マーク９ｂにより示された明度に応じて２次元のチャート全体の色調を変化させる。これにより、使用者は、明度を調整しながら２次元のチャート上で最も白に近い色のタイルを容易に判断することができる。
【００２４】
色補正制御部１１は、操作信号Ｓ５に基づき、第１のカラーチャートの投射画像上で使用者による色選択（タイルの選択）がなされたか否かを判定する（ステップＳ１４）。
使用者による色選択がなされると、色補正制御部１１は、記憶部７のカラーチャートデータ７２を参照し、選択色を基準とする第２の色相の範囲を第１のカラーチャートよりも細かい階調で表した第２のカラーチャートを作成する。そして、色補正制御部１１は、第２のカラーチャートを示す画像信号Ｓ４を表示素子駆動部３０に供給する。表示素子駆動部３０は、画像信号Ｓ４に基づく画像を表示素子３１上に形成し、その結果、投射面Ｐ上に、第２のカラーチャートの画像が投射される（ステップＳ１５）。ここで、色補正制御部１１は、第２のカラーチャートの画像と一緒に、使用者に投射画像上で最も白い色相を選択させることを促すようなメッセージや、色決定又は色再選択を促すようなメッセージを表示してもよい。
【００２５】
第２のカラーチャートの一例として、図６に、図５に示した２次元のチャート上の黒枠９ａにより選択されたタイル（色相２７０ｄｅｇ、彩度７ｓ）の色を基準とするカラーチャートを示す。第１のカラーチャートと同様、図６に示す第２のカラーチャートも、ＰＣＣＳの彩度、色相をそれぞれ縦軸、横軸にとった２次元のチャートと、ＰＣＣＳの明度を示す１次元のチャートとを含む。１次元のチャートは、図５に示したものと同じである。
２次元のチャートは、選択色である青紫（色相２７０ｄｅｇ）を基準とする色相の範囲２６６ｄｅｇ〜２７４を２ｄｅｇ毎の５段階の色相に区分し、各色相をそれぞれ、６ｓ、６．５ｓ、７ｓ、７．５ｓ、８ｓの５段階の彩度で表したものである。中央のタイルの色相が２７０ｄｅｇ、彩度が７ｓであり、図５に示した選択タイルに対応する。換言すると、図６に示した２次元のチャートは、図５に示した２次元のチャート上の選択タイル（色相２７０ｄｅｇ、彩度７ｓ）を基準とし、上下左右に隣接するタイルとの間で、より細かい階調のチャートを作成したものである。図６に示した２次元のチャートも、５×５のタイルからなり、タイル選択用の黒枠９ａを含む。
【００２６】
図６に示した第２のカラーチャートにおいて、使用者は、１次元のチャートの三角マーク９ｂを移動させることで明度を調整し、２次元のチャート上の最も白に近いタイルに黒枠９ａを移動することで色を選択する。そして、使用者は、選択した色を補正色として決定する場合は、操作部８の決定キーを押下する。一方、色を再選択する場合は、使用者は、操作部８を用いて色を再選択するための入力操作を行う。
色補正制御部１１は、操作信号Ｓ５に基づき、色決定及び色再選択のいずれの操作が行われたかを判定する（ステップＳ１６）。具体的には、色補正制御部１１は、決定キーを押下したことを示す操作信号Ｓ５を受信した場合は、色決定の操作が行われたと判定し、色を再選択する旨を示す操作信号Ｓ５を受信した場合は、色再選択の操作が行われたと判定する。
【００２７】
色決定の操作が行われた場合、色補正制御部１１は、決定した色に基づいて色補正情報Ｓ２を生成する（ステップＳ１７）。色補正制御部１１は、色補正情報Ｓ２を色補正部２に供給するとともに、色補正情報Ｓ２を記憶部７の色補正データ７３に保存する。色補正データ７３に保存した色補正情報Ｓ２は、次回、プロジェクタを起動させた際に利用することができる。一方、色再選択の操作が行われた場合は、色補正制御部１１は、ステップＳ１３〜１６の処理を再度実行する。
色補正部２は、色補正情報Ｓ２に基づいて入力映像信号Ｓ１を色補正する。そして、色補正部２は、入力映像信号Ｓ１を色補正した映像信号Ｓ３を表示素子駆動部３０に供給する。表示素子駆動部３０は、映像信号Ｓ３に基づく画像を表示素子３１上に形成し、その結果、投射面Ｐ上に、映像信号Ｓ３の画像が投射される（ステップＳ１８）。
【００２８】
映像信号Ｓ３の画像は、入力映像信号Ｓ１の画像（投射すべき画像）に、色補正情報Ｓ２により示される補正色の画像を加えたものである。補正色の画像は、投射面Ｐの色を打ち消すように作用するため、色覚的に、投射面Ｐを白い面と見做すことができ、投射すべき画像が投射面Ｐの色の影響（壁の色や照明光の影響）を受けることを抑制することができる。
【００２９】
以下に、上記投射面色補正方法を使用者の入力操作とプロジェクタの表示動作とに分けて具体的に説明する。
図７に、使用者の入力操作及びプロジェクタの表示動作の一手順を示す。図７において、ステップＳ２０、Ｓ２２、Ｓ２４は、プロジェクタにより実行されるステップであり、ステップＳ２１、Ｓ２３、Ｓ２５は、使用者による入力操作である。
ステップＳ２０で、プロジェクタが、１２色のリスト（色相名リスト７１）の画像を投射面Ｐ上に投射する。ステップＳ２１で、使用者が、操作部８を用いて、投射面Ｐ上に表示された１２色のリストのうちから投射面Ｐの色に最も近い色を指定する。ここでは、使用者が４番の黄を指定したと仮定する。
【００３０】
ステップＳ２２で、プロジェクタが、黄（４番）の補色である青紫（１０番）を基準とする第１のカラーチャートの画像（図５）を投射面Ｐ上に投射する。ステップＳ２３で、使用者が、操作部８を用いて、明度を調整し、最も白く補正出来ているタイル（最も白に近いタイル）を選択する。
ステップＳ２４で、プロジェクタが、使用者により選択された色を基準とする第２のカラーチャートの画像（図６）を投射面Ｐ上に投射する。ステップＳ２５で、使用者が、操作部８を用いて、明度を調整し、最も白く補正出来ているタイル（最も白に近いタイル）を選択する。そして、使用者は、選択したタイルの色で色補正を行うか否かを判断する。
使用者が色決定の操作を行った場合は、プロジェクタが、決定したタイル色に基づく色補正を行う。一方、使用者が色再選択の操作を行った場合は、ステップＳ２３〜Ｓ２５の操作及処理が再度行われる。
【００３１】
上述した本実施形態のプロジェクタによれば、以下のような作用効果を奏する。
使用者が色相名リストの中から色を指定すると、その指定した色の補色を基準とする第１の色相の範囲を複数の階調で表した第１のカラーチャートの画像が投射面Ｐ上に投射される。例えば、図５に示したように、第１のカラーチャートは、補色である青紫（２７０ｄｅｇ）を基準とする色相範囲２５５ｄｅｇ〜２８５ｄｅｇを７．５ｄｅｇ毎の５段階の色相に区分し、各色相をそれぞれ２ｓ毎の５段階の彩度で表した２次元のチャートを含む。使用者は、この２次元のチャートの投射画像上で最も白に近いタイルを選択する。この選択操作によれば、投射面Ｐの色に完全に一致する色相名（色）が色相名リスト中に無い場合でも、第１のカラーチャートを用いて投射面Ｐの色の補色を正確に選択することができる。
【００３２】
さらに、使用者が第１のカラーチャートの投射画像上で色を選択すると、その選択した色を基準とする第２の色相の範囲を第１のカラーチャートよりも細かい階調で表した第２のカラーチャートの画像が投射面Ｐ上に投射される。例えば、図６に示したように、第２のカラーチャートは、選択色である青紫（色相２７０ｄｅｇ）を基準とする色相の範囲２６６ｄｅｇ〜２７４を２ｄｅｇ毎の５段階の色相に区分し、各色相をそれぞれ０．５ｓ毎の５段階の彩度で表した２次元のチャートを含む。使用者は、この２次元のチャートの投射画像上で最も白に近いタイルを選択する。このように、第１のカラーチャートよりもさらに階調が細かい第２のカラーチャートを用いることで、投射面Ｐの色の補色を高精度に選択することができる。
また、本実施形態のプロジェクタによれば、カラーセンサ等を用いる必要がないので、カラーセンサ等を備えたプロジェクタと比較して、装置の小型化及び低コスト化が可能である。
【００３３】
以上説明した本実施形態のプロジェクタの構成及び動作は一例であり、適宜に、変更又は改良を加えることができる。
以下に、変形例を説明する。
図８Ａに、色相名リスト画像を投射する場合の投射画像の一例を示す。投射面Ｐの色は黄である。投射画像Ｐ１は、色相名リスト画像７１ａを含む。投射画像Ｐ１の色相名リスト画像７１ａ以外の領域の色は白（白色光）である。色相名リスト画像７１ａの周囲の色を白にすることで、使用者は、投射面Ｐの色をより認識し易くなる。
【００３４】
図８Ｂに、第１のカラーチャートの画像を投射する場合の投射画像の一例を示す。投射面Ｐの色は黄である。投射画像Ｐ１は、第１のカラーチャートを構成する２次元チャート画像及び１次元チャート画像を含む。投射画像Ｐ１の２次元チャート画像及び１次元チャート画像以外の領域の色は黒である。２次元チャート画像の周辺の色を黒にすることで、色覚的な周辺からの影響を抑制することができる。なお、図８Ｂに示した投射画像は、第２のカラーチャートにも適用することができる。
第１及び第２のカラーチャートはいずれも、彩度と色相で表された２次元のチャートと、明度を示す１次元のチャートとからなるが、これに限定されない。２次元のチャートを明度と色相で表し、１次元のチャートが彩度を示すものであってもよい。
【００３５】
例えば、図９Ａに示すように、第１のカラーチャートを、明度と色相で表された２次元のチャートと、彩度を示す１次元のチャートとで構成する。また、図９Ｂに示すように、第２のカラーチャートを、彩度と色相で表された２次元のチャートと、明度を示す１次元のチャートとから構成する。これら第１及び第２のカラーチャートにおいて、２次元チャート画像の周辺の色を黒にしてもよい。
第１及び第２のカラーチャートをそれぞれ、彩度及び明度の一方の要素を縦軸にとり、色相を横軸にとった２次元のチャートと、彩度及び明度の他方の要素を階調的に表した１次元のチャートとで構成する。そして、色補正制御部１１が、操作信号Ｓ５に応じて、２次元のチャートの縦軸を一方の要素から他方の要素に切り替え、１次元のチャートを他方の要素から一方の要素に切り替えてもよい。
【００３６】
色補正制御部１１は、第１及び第２のカラーチャートにおいて、２次元のチャート上でタイルを選択すると、選択したタイル以外のタイルを全て黒表示してもよい。
図１０に、第２のカラーチャートについて、選択タイル以外のタイルを全て黒表示する場合の投射画像の変化を模式的に示す。第２のカラーチャートの投射画像Ｐ１は、５×５のタイルからなる２次元チャート画像を含む。使用者が、操作部８を用いて、２次元チャート画像上のタイル９ｃを選択するための入力操作を行うと、色補正制御部１１が、操作信号５Ｓに基づいて、タイル９ｃが選択されたことを認識する。そして、色補正制御部１１が、タイル９ｃ以外のタイルの色を黒に変更する。これにより、使用者が、タイル９ｃが白に近いか否かを判断する際に、色覚的に他のタイルの色が影響することを抑制することができる。
【００３７】
色補正制御部１１は、第１及び第２のカラーチャートにおいて、使用者が２次元のチャート上で複数のタイルを選択すると、選択した複数のタイルからなる選択タイル画像を表示してもよい。
図１１Ａに、第２のカラーチャートの２次元チャート画像上で３つのタイルが選択された場合の投射画像の一例を示し、図１１Ｂに、それら選択タイルからなる選択タイル画像の一例を示す。
図１１Ａに示すように、使用者が操作部８を用いて２次元チャート画像上の３つのタイルを順番に選択するための入力操作を行うと、色補正制御部１１が、操作信号５Ｓに基づいて、選択された３つのタイルを認識し、これらタイルを囲む黒枠９ａを表示する。そして、色補正制御部１１が、選択された３つのタイルからなる選択タイル画像を示す画像信号Ｓ４を表示素子駆動部３０に供給する。その結果、図１１Ｂに示すように、選択された３つのタイルからなる選択タイル画像が投射面Ｐ上に投射される。選択タイル画像は、使用者が選択した３つのタイルを選択した順番で重ねた画像である。選択タイル画像の周辺の色は黒である。使用者は、方向キー等を用いた操作を行うことで、選択タイル画像の順序を変更して、所望の選択タイル画像を最前面に配置することができる。使用者は、選択タイル画像の順番を切り替えながら、どのタイルが最も白いかを判断する。これにより、最も白いタイルがどれであるかの判定をより確実に行うことができる。
なお、図１１Ｂの例では、３つの選択タイル画像が重ねられて表示されているが、これに限定されない。例えば、３つの選択タイル画像を画面の中央部付近に重ならないように並べてもよい。また、３つの選択タイル画像を一枚ずつ順番に画面中央付近に表示してもよい。この場合、図１１Ａに示した２次元チャート画像上の黒枠９ａ内の選択タイルを所定の順番で自動的に表示するように構成してもよい。また、使用者が、方向キー等を用いた操作を行うことで、表示される選択タイル画像が切り替わるように構成してもよい。例えば、黒枠９ａ内の中央のタイルの選択タイル画像が表示された状態で、左方向キーが押されると、中央のタイルの左側のタイルの選択タイル画像が表示され、右方向キーが押されると、中央のタイルの右側のタイルの選択タイル画像が表示される。
【００３８】
（第２の実施形態）
本発明の第２の実施形態のプロジェクタも、図１に示した構成を有する。第１の実施形態のプロジェクタでは、投射面色補正処理に第１及び第２のカラーチャートが用いられているが、本実施形態のプロジェクタでは、第１のカラーチャートのみを用いた投射面色補正処理が行われる。
図１２に、その投射面色補正処理の一手順を示す。ステップＳ３０〜Ｓ３４の処理は、図４に示したステップＳ１０〜Ｓ１４の処理と同じである。
【００３９】
ステップＳ３４で色が選択されると、色補正制御部１１は、操作信号Ｓ５に基づき、色決定及び色再選択のいずれの操作が行われたかを判定する（ステップＳ３５）。このステップＳ３５は、図４に示したステップＳ１６と基本的に同じである。
色決定の操作が行われた場合、色補正制御部１１は、決定した色に基づいて色補正情報Ｓ２を生成する（ステップＳ３６）。色補正制御部１１は、色補正情報Ｓ２を色補正部２に供給するとともに、色補正情報Ｓ２を記憶部７の色補正データ７３に保存する。このステップＳ３６は、図４に示したステップＳ１７と基本的に同じである。
【００４０】
色補正部２は、色補正情報Ｓ２に基づいて入力映像信号Ｓ１を色補正する。そして、色補正部２は、入力映像信号Ｓ１を色補正した映像信号Ｓ３を表示素子駆動部３０に供給し、その結果、投射面Ｐ上に、映像信号Ｓ３の画像が投射される（ステップＳ３７）。このステップＳ３７は、図４に示したステップＳ１８と基本的に同じである。
映像信号Ｓ３の画像は、入力映像信号Ｓ１の画像（投射すべき画像）に、色補正情報Ｓ２により示される補正色の画像を加えたものである。補正色の画像は、投射面Ｐの色を打ち消すように作用するため、色覚的に、投射面Ｐを白い面と見做すことができ、投射すべき画像が投射面Ｐの色の影響（壁の色や照明光の影響）を受けることを抑制することができる。
【００４１】
本実施形態のプロジェクタによれば、第１の実施形態と同様、投射面Ｐの色に完全に一致する色相名（色）が色相名リスト中に無い場合でも、第１のカラーチャートを用いて投射面Ｐの色の補色を正確に選択することができる。
また、カラーセンサ等を用いる必要がないので、カラーセンサ等を備えたプロジェクタと比較して、装置の小型化及び低コスト化が可能である。
本実施形態のプロジェクタにおいても、第１の実施形態で説明した変形を適宜に適用することができる。
【００４２】
以上説明した各実施形態のプロジェクタは、本発明の一例であり、その構成及び動作は適宜に変更することができる。例えば、ＰＣＣＳの色相環に代えて、マンセルの色相環を用いてカラーチャートデータ７２を作成してもよい。
また、本発明は、以下の付記１〜７のような形態をとり得るが、これら形態に限定されない。
（付記１）
画像を形成する画像形成部と、
前記画像形成部で形成された画像を投射する投射光学系と、
入力操作に応じて操作内容を示す操作信号を出力する操作部と、
前記操作信号に基づき、前記画像形成部の画像形成動作を制御し、色相環に基づいて色補正情報を生成する色補正制御部と、
前記色補正情報に基づいて入力映像信号を色補正し、色補正した映像信号に基づく画像を前記画像形成部で形成する色補正部と、を有し、
前記色補正制御部は、
前記色補正情報の生成の際には、前記色相環を構成する複数の色相のリストを示すリスト画像を前記画像形成部に形成して、前記投射光学系により前記リスト画像を投射し、
前記リストの中から色相を指定する旨を示す第１の操作信号を受け付けると、該第１の操作信号により示された色相の補色を基準とする所定の色相の範囲を複数の階調で表した第１のカラーチャートを作成し、該第１のカラーチャートの画像を前記画像形成部に形成して、前記投射光学系により前記第１のカラーチャートの画像を投射し、
前記第１のカラーチャートの投射画像上で色相を選択する旨を示す第２の操作信号を受け付けると、該第２の操作信号により示された色相に基づいて前記色補正情報を生成する、プロジェクタ。
（付記２）
付記１に記載のプロジェクタにおいて、
前記色補正制御部は、前記第２の操作信号を受け付けた場合に、該第２の操作信号により示された色相を基準とする所定の色相の範囲を前記第１のカラーチャートよりも細かい階調で表した第２のカラーチャートを作成し、該第２のカラーチャートの画像を前記画像形成部に形成して、前記投射光学系により前記第２のカラーチャートの画像を投射し、その後、前記第２のカラーチャートの投射画像上で色相を選択する第３の操作信号を受け付けると、該第３の操作信号により示された色相に基づいて前記色補正情報を生成する、プロジェクタ。
（付記３）
付記２に記載のプロジェクタにおいて、
前記第１及び第２のカラーチャートはそれぞれ、彩度及び明度の一方の要素を縦軸にとり、色相を横軸にとった２次元のチャートと、前記彩度及び明度の他方の要素を階調的に表した１次元のチャートと、を含み、
前記色補正制御部は、前記第１及び第２のカラーチャートのそれぞれについて、前記１次元のチャート上で設定された前記他方の要素の値に基づいて前記２次元のチャートの色調を変化させる、プロジェクタ。
（付記４）
付記３に記載のプロジェクタにおいて、
前記２次元のチャートは、複数の階調を表す複数の色のタイルを有し、
前記色補正制御部は、前記２次元のチャート上でタイルを選択する旨を示す操作信号を受け付けると、該操作信号により示されたタイル以外のタイルの色を全て黒表示に変更する、プロジェクタ。
（付記５）
付記３に記載のプロジェクタにおいて、
前記２次元のチャートは、複数の階調を表す複数の色のタイルを有し、
前記色補正制御部は、前記２次元のチャート上で２つ以上のタイルを選択する旨の操作信号を受け付けると、該操作信号により示された前記２つ以上のタイルからなる画像を前記画像形成部で形成する、プロジェクタ。
（付記６）
付記３から５のいずれか１つに記載のプロジェクタにおいて、
前記色補正制御部は、前記１次元及び２次元のチャートの間で前記彩度及び明度を切り替える旨を示す操作信号を受け付けると、該操作信号に従って、前記２次元のチャートを、前記他方の要素を縦軸にとり、前記色相を横軸にとった２次元のチャートに切り替え、前記１次元のチャートを、前記一方の要素を階調的に表した１次元のチャートに切り替える、プロジェクタ。
（付記７）
画像を形成する画像形成部と、該画像形成部で形成された画像を投射する投射光学系とを備えたプロジェクタの投射面色補正方法であって、
色相環を構成する複数の色相のリストを示すリスト画像を前記画像形成部に形成して、前記投射光学系により前記リスト画像を投射し、
使用者が前記リストの中から色相を指定する第１の操作を行うと、前記色相環に基づいて該第１の操作により指定された色相の補色を決定し、該補色を基準とする所定の色相の範囲を複数の階調で表したカラーチャートの画像を前記画像形成部に形成して、前記投射光学系により前記カラーチャートの画像を投射し、
使用者が前記カラーチャートの投射画像上で色相を選択する第２の操作を行うと、該第２の操作により選択された色相に基づいて色補正情報を生成し、
前記色補正情報に基づいて入力映像信号を色補正し、色補正した映像信号に基づく画像を前記画像形成部に形成して、該画像を前記投射光学系により投射する、投射面色補正方法。
【符号の説明】
【００４３】
１  制御部
２  色補正部
３  画像形成部
４  投射光学系
５  光源駆動部
６  光源
７  記憶部
８  操作部
１１  色補正制御部
【図１】
2016096465.tif 000003
【図２Ａ】
2016096465.tif 000004
【図２Ｂ】
2016096465.tif 000005
【図２Ｃ】
2016096465.tif 000006
【図３】
2016096465.tif 000007
【図４】
2016096465.tif 000008
【図５】
2016096465.tif 000009
【図６】
2016096465.tif 000010
【図７】
2016096465.tif 000011
【図８Ａ】
2016096465.tif 000012
【図８Ｂ】
2016096465.tif 000013
【図９Ａ】
2016096465.tif 000014
【図９Ｂ】
2016096465.tif 000015
【図１０】
2016096465.tif 000016
【図１１Ａ】
2016096465.tif 000017
【図１１Ｂ】
2016096465.tif 000018
【図１２】
2016096465.tif 000019